(57)【特許請求の範囲】
【請求項１】
ウェブ（２８）の両端部に上部フランジ（２７）と下部フランジ（２８）が設けられ、前記下部フランジ（２７）が天井に固定された断面Ｉ字状の一対の天井バー（２６）と、
平面部（４３）、該平面部（４３）の両端部が同方向にほぼ直角に折り曲げられ、先端部に前記天井バー（２６）の上部フランジ（２７）に当接する水平部（４６）及び前記天井バー（２６）の上部フランジ（２７）の外側に配設される係止片（４７）を有する立上り片（４５）、前記平面部（４３）に立上り片（４５）に近接して設けられた開口部（４９）、該開口部（４９）の近傍に設けられた押え片（５０）、及び前記平面部（４３）の中央部側に設けられた長穴（５１）からなる取付金具（４２）と、
両端部に前記天井バー（２６）の下部フランジ（３０）に当接するフランジ（３５）を有し、中央部側に前記取付金具（４２）の長穴（５１）に対応した長穴（４１）が設けられ、ランプ（３６）、安定器、反射板（３８）等が収容されて上面に前記取付金具（４２）が固定された断面ほぼ鍋形状の器具本体（３３）と、
弾性材からなり、平面部（５３）、該平面部（５３）の一端をほぼ直角に折り曲げて先端部に前記天井バー（２６）の上部フランジ（２７）に係止する引掛片（５５）が形成された垂下片（５４）を有するほぼＬ字状の一対の係止金具（５２）とからなり、
該係止金具（５２）の平面部（５３）を前記取付金具（４３）の押え片（５０）に挿入すると共に、前記係止金具（５２）の平面部（５３）の一端に位置する前記垂下片（５４）を前記取付金具（４２）の平面部（４３）に立ち上がり片（４５）に近接して設けられた開口部（４９）に挿入して該取付金具（４２）上に摺動可能に配設し、前記係止金具（５２）の平面部（５３）の他端に前記器具本体（３３）及び取付金具（４２）の長穴（４１），（５１）から挿入された解除ネジ（５６）を螺入し、前記係止金具（５２）を天井面に取り付ける際には、平面部（５３）の他端を解除ネジ（５６）で締め、一端を押え片（５０）で支持して、該係止金具（５２）の上下方向への移動を阻止した状態で、係止金具（５２）の垂下片（５４）及び引掛片（５５）が器具本体（３２）の両側面部（３３）方向にたわむようにして引掛片（５５）を天井バー（２６）の上部フランジ（２７）に係止させ、前記係止金具（５２）を天井面から取り外す際には、押え片（５０）を支点として平面部（５３）の他端の解除ネジ（５６）をゆるめて該平面部（５３）の他端部を持ち上げ、前記係止金具（５２）の垂下片（５４）及び引掛片（５５）を取付金具（４２）の立上り片（４５）より離して引掛片（５５）を天井バー（２８）の上部フランジ（２７）から外れるようにしたことを特徴とする照明器具。
【請求項２】
ウェブ（２８）の両端部に上部フランジ（２７）と下部フランジ（２８）が設けられ、前記下部フランジ（２８）が天井に固定された断面Ｉ字状の一対の天井バー（２６）と、
平面部（４３）、該平面部（４３）の両端部が同方向にほぼ直角に折り曲げられ、先端部に前記天井バー（２６）の上部フランジ（２７）に当接する水平部（４６）及び前記天井バー（２６）の上部フランジ（２７）の外側に配設される係止片（４７）を有する立上り片（４５）、前記平面部（４３）に立上り片（４５）に近接して設けられた開口部（４９）、該開口部（４９）の近傍に設けられた押え片（５０）、及び前記平面部（４３）の中央部側に設けられたねじ穴（６１）からなる取付金具（４２）と、
両端部に前記天井バー（２６）の下部フランジ（３０）に当接するフランジ（３５）を有し、中央部側に前記取付金具（４２）のねじ穴（６１）に対応し開口部（６２）が設けられ、ランプ（３６）、安定器、反射板（３８）等が収容されて上面に前記取付金具（４２）が固定された断面ほぼ鍋形状の器具本体（３３）と、
弾性材からなり、平面部（５３）、該平面部（５３）の両端部を同方向にほぼ直角に折り曲げて先端部に前記天井バー（２６）の上部フランジ（２７）に係止する引掛片（５５）が形成された垂下片（５４）を有するほぼコ字状の係止金具（５２）とからなり、
該係止金具（５２）の平面部（５３）を前記取付金具（４２）の押え片（５０）に挿入すると共に、前記垂下片（５４）を前記取付金具（４２）の平面部（４３）に立ち上がり片（４５）に近接して設けられた開口部（４９）にそれぞれ挿入して該取付金具（４２）上に配設し、前記係止金具（５２）の平面部（５３）のほぼ中央部に前記取付金具（４２）のねじ穴に螺入された解除ネジ（５６）を当接させ、前記係止金具（５２）を天井面に取り付ける際には、平面部（５３）のほぼ中央部を解除ネジ（５６）をゆるめ、両端をそれぞれ押え片（５０）で支持して、該係止金具（５２）の上下方向への移動を阻止した状態で、係止金具（５２）のそれぞれの垂下片（５４）及び引掛片（５５）が器具本体（３２）の両側面部（３３）方向にたわむようにして引掛片（５５）を天井バー（２６）の上部フランジ（２７）に係止させ、前記係止金具（５２）を天井面から取り外す際には、それぞれの押え片（５０）を支点として平面部（５３）のほぼ中央部の解除ネジ（５６）を締めて該平面部（５３）の中央部付近を下面から突き上げてたわませ、前記係止金具（５２）の垂下片（５４）及び引掛片（５５）を取付金具（４２）の立上り片（４５）より離して引掛片（５５）を天井バー（２８）の上部フランジ（２７）から外れるようにしたことを特徴とする照明器具。
【請求項３】
ウェブ（２８）の両端部に上部フランジ（２７）と下部フランジ（２８）が設けられ、前記下部フランジ（２８）が天井に固定された断面Ｉ字状の一対の天井バー（２６）と、
平面部（４３）、該平面部（４３）の両端部が同方向にほぼ直角に折り曲げられ、先端部に前記天井バー（２６）の上部フランジ（２７）に当接する水平部（４６）及び前記天井バー（２６）の上部フランジ（２７）の外側に配設される係止片（４７）を有する立上り片（４５）、前記平面部（４３）に立上り片（４５）に近接して設けられた開口部（４９）、該開口部（４９）の近傍に設けられた押え片（５０）、及び前記平面部（４３）の中央部側に設けられた２つの長穴からなる取付金具（４２）と、
両端部に前記天井バー（２６）の下部フランジ（３０）に当接するフランジ（３５）を有し、中央部側に前記取付金具（４２）の長穴に対応した長穴が設けられ、ランプ（３６）、安定器、反射板（３８）等が収容されて上面に前記取付金具（４２）が固定された断面ほぼ鍋形状の器具本体（３３）と、
平面部（５３）、該平面部（５３）の一端をほぼ直角に折り曲げて先端部に前記天井バー（２６）の上部フランジ（２７）に係止する引掛片（５５）が形成された垂下片（５４）を有し、前記平面部（５３）の他端に前記垂下片（５４）と同方向に折り曲げられた操作片（５８）が設けられた一対の係止金具（５２）とからなり、
該係止金具（５２）の平面部（５３）をそれぞれ前記取付金具（４２）の押え片（５０）に挿入すると共に、前記垂下片（５４）を前記取付金具（４２）の平面部（４３）に立ち上がり片（４５）に近接して設けられた開口部（４９）に挿入し、また前記操作片（５８）を取付金具（４２）及び器具本体（３３）の長穴（６１），（６２）に挿入して該取付金具（４２）上に摺動可能に配設し、前記両係止金具（５２）の操作片（５８）間にばね（６０）を介装し、前記係止金具（５２）を天井面に取り付ける際には、平面部（５３）の両端をそれぞれ押え片（５０）で支持し、係止金具（５２）の操作片（５８）をばね（６０）の弾性力によって外方に押圧して、該係止金具（５２）の上下方向への移動を阻止した状態で、係止金具（５２）のそれぞれの垂下片（５４）及び引掛片（５５）が器具本体（３２）の両側面部（３３）方向にたわむようにして引掛片（５５）を天井バー（２６）の上部フランジ（２７）に係止させ、前記係止金具（５２）を天井面から取り外す際には、それぞれの押え片（５０）を支点として係止金具（５２）の操作片（５８）を内方に押圧してばね（６０）を圧縮させ、前記係止金具（５２）の垂下片（５４）及び引掛片（５５）を取付金具（４２）の立上り片（４５）より離して引掛片（５５）を天井バー（２８）の上部フランジ（２７）から外れるようにしたことを特徴とする照明器具。
【請求項４】
ウェブ（２８）の両端部に上部フランジ（２７）と下部フランジ（２８）が設けられ、前記下部フランジ（２８）が天井に固定された断面Ｉ字状の一対の天井バー（２６）と、
平面部（４３）、該平面部（４３）の両端部が同方向にほぼ直角に折り曲げられ、先端部に前記天井バー（２６）の上部フランジ（２７）に当接する水平部（４６）及び前記天井バー（２６）の上部フランジ（２７）の外側に配設される係止片（４７）を有する立上り片（４５）、前記平面部（４３）に立上り片（４５）に近接して設けられた開口部（４９）、該開口部（４９）の近傍に設けられた押え片（５０）、及び前記平面部（４３）の中央部側に設けられた長穴（６１）からなる取付金具４２と、
両端部に前記天井バー（２６）の下部フランジ（３０）に当接するフランジ（３５）を有し、中央部側に前記取付金具（４２）の長穴（６１）に対応した長穴（６１）が設けられ、ランプ（３６）、安定器、反射板（３８）等が収容されて上面に前記取付金具（４２）が固定された断面ほぼ鍋形状の器具本体（３３）と、
弾性材からなり、平面部（５３）、該平面部（５３）の両端部を同方向にほぼ直角に折り曲げて先端部に前記天井バー（２６）の上部フランジ（２７）に係止する引掛片（５５）を形成された垂下片（５４）を設けると共に、ほぼ中央部を折曲げて形成した操作部（６３）により弾性が付与された係止金具（５２）からなり、
該係止金具（５２）の平面部（５３）を前記取付金具（４２）の押え片（５０）にそれぞれ挿入すると共に、前記垂下片（５４）を前記取付金具（４２）の平面部（４３）に立ち上がり片（４５）に近接して設けられた開口部（４９）にそれぞれ挿入し、また記操作部（６３）を取付金具（４２）及び器具本体（３３）の長穴（６１），（６２）に挿入して該取付金具（４２）上に摺動可能に配設し、前記係止金具（５２）を天井面に取り付ける際には、平面部（５３）の両端をそれぞれ押え片（５０）で支持し、係止金具（５２）の操作部（６３）を操作部の弾性力によって外方に押圧して、該係止金具（５２）の上下方向への移動を阻止した状態で、係止金具（５２）のそれぞれの垂下片（５４）及び引掛片（５５）が器具本体（３２）の両側面部（３３）方向にたわむようにして引掛片（５５）を天井バー（２６）の上部フランジ（２７）に係止させ、前記係止金具（５２）を天井面から取り外す際には、それぞれの押え片（５０）を支点として係止金具（５２）の操作部（６３）を内方に押圧してたわませ、前記係止金具（５２）の垂下片（５４）及び引掛片（５５）を取付金具（４２）の立上り片（４５）より離して引掛片（５５）を天井バー（２８）の上部フランジ（２７）から外れるようにしたことを特徴とする照明器具。
【発明の詳細な説明】
【０００１】
【産業上の利用分野】
本発明は、システム天井などに使用する天井埋込形の照明器具に係り、より詳しくは天井に架設した天井バーに対する取り付けや取り外しの作業性を向上させた照明器具に関するものである。
【０００２】
【従来の技術】
図１２、図１３は、例えば実公平４−６０９１号公報に開示された従来のシステム天井用の照明器具の一例を示す縦断面図及びその要部を示す斜視図である。１はシステム天井の天井板、２は天井から吊り下げて固定した天井枠、３は天井枠２の頭部、４は天井枠２に設けられた鍵溝である。
５は天井面に埋め込まれた照明器具、６は照明器具５の左右の側面を構成する一対のサイドチャンネル（図は一方のみ示す）で、ソケット７、反射板８その他照明器具に必要な各器具類を支持する。また、９はクッション材、１０はリード線である。
【０００３】
１１はサイドチャンネル６に取付けられた取付金具で、階段状に形成されており、斜面部１２、斜面部１２の下方に形成された平坦部１３、平坦部１３の先端部から下方に向かって形成された垂直部１４を有し、斜面部１２の内側面には熔接等により支持片１５が取付けられている。
１６は上端がサイドチャンネル６に弾力的に係合され、取付金具１１をサイドチャンネル６に取付けるための線状のバネで、その先端部は取付金具１１の裏面から表面に向かって挿通されて係合し、これによる弾力で回動させて取付金具１１をサイドチャンネル６に固定する。
【０００４】
１７は引掛具で、１８は天井枠２の鍵溝４の下方に嵌合するために引掛具１７の先端部に設けられた板状の引掛部、１９は引掛部１８を固定する軸、２０は引掛具１７のハンドルである。２１は引掛具１７の引掛部１８を通過させるため支持片１５に設けた通過穴、２２は引掛具１７の軸１８を滑動させる溝部で、通過穴２１に連続し、斜め上方に傾斜する傾斜溝部２３と、傾斜溝部２３に続く平坦溝部２４とからなっている。なお、２５は反射板８を天井枠２に載置し固定するための化粧ネジである。
【０００５】
次に、上記のように構成した照明器具の作用を説明する。照明器具５を天井枠２に取付けるには、まず照明器具５の取付金具１１を天井枠２の頭部３に載置する。このとき、取付金具１１の平坦部１３の下面が天井枠２の頭部３に載置され、垂直部１４の内側面が頭部３の外側面と対向し、支持片１５は天井枠２の内側面と対向する。
こうして垂直部１４と支持片１５によって、取付金具１１が天井枠２に対して横方向（図中、左右方向）のずれを防止する。
【０００６】
次いで、引掛具１７の引掛部１８を支持片１５の通過穴２１に挿入してハンドル２０を傾斜溝部２３から平坦溝部２４まで移動させる。この移動によって、引掛部１８の端部が天井枠２の鍵溝４の下方に嵌合して係合し、取付金具１１は天井枠２に係合する。
こうして取付金具１１と天井枠２とを結合すると、天井枠２や照明器具５が上下方向に振動しても、両者は一体となって振動し、取付金具１１、したがって照明器具５が天井枠２から浮き上がることはない。
最後に、反射板８を天井枠２に載置して化粧ネジ２５で固定し、取付金具１１や引掛具１７等を隠す。
照明器具５を天井枠２から取り外すには、まず化粧ネジ２５を緩めて反射板８を取り除き、次に引掛具１７を平坦溝部２４から通過穴２１まで移動させれば、引掛部１８と鍵溝４との係合が解除される。こうして、照明器具５を天井枠２から取り外す。
【０００７】
【発明が解決しようとする課題】
上記のように構成した従来の照明器具では、天井枠２に照明器具５を固定する際、取付金具１１に固着された支持片１５の通過穴２１に引掛具１７を挿入して移動させなければならないので、作業性が悪い。
また、取付金具１１や引掛具１７を隠すため反射板８を後から天井枠２に載置し化粧ネジ２５で固定しなければならないため、天井面での組立て作業に手間取る。
【０００８】
本発明は上記のような課題を解決するためになされたもので、取付金具の着脱作業や反射板の取付作業が容易かつ良好な照明器具を得ることを目的とする。
【０００９】
【課題を解決するための手段】
本発明に係る照明器具は、ウェブの両端部に上部フランジと下部フランジが設けられ、前記下部フランジが天井に固定された断面Ｉ字状の一対の天井バーと、平面部、該平面部の両端部が同方向にほぼ直角に折り曲げられ、先端部に前記天井バーの上部フランジに当接する水平部及び前記天井バーの上部フランジの外側に配設される係止片を有する立上り片、前記平面部に立上り片に近接して設けられた開口部、該開口部の近傍に設けられた押え片、及び前記平面部の中央部側に設けられた長穴からなる取付金具と、両端部に前記天井バーの下部フランジに当接するフランジを有し、中央部側に前記取付金具の長穴に対応した長穴が設けられ、ランプ、安定器、反射板等が収容されて上面に前記取付金具が固定された断面ほぼ鍋形状の器具本体と、
弾性材からなり、平面部、該平面部の一端をほぼ直角に折り曲げて先端部に前記天井バーの上部フランジに係止する引掛片が形成された垂下片を有するほぼＬ字状の一対の係止金具とからなり、
該係止金具の平面部を前記取付金具の押え片に挿入すると共に、前記係止金具の平面部の一端に位置する前記垂下片を前記取付金具の平面部に立ち上がり片に近接して設けられた開口部に挿入して該取付金具上に摺動可能に配設し、前記係止金具の平面部の他端に前記器具本体及び取付金具の長穴から挿入された解除ネジを螺入し、前記係止金具を天井面に取り付ける際には、平面部の他端を解除ネジで締め、一端を押え片で支持して、該係止金具の上下方向への移動を阻止した状態で、係止金具の垂下片及び引掛片が器具本体の両側面部方向にたわむようにして引掛片を天井バーの上部フランジに係止前記係止金具を天井面から取り外す際には、押え片を支点として平面部の他端の解除ネジをゆるめて該平面部の他端部を持ち上げ、前記係止金具の垂下片及び引掛片を取付金具の立上り片より離して引掛片を天井バーの上部フランジから外れるようにしたものである。
【００１０】
また本発明にかかる照明器具は、ウェブの両端部に上部フランジと下部フランジが設けられ、前記下部フランジが天井に固定された断面Ｉ字状の一対の天井バーと、平面部、該平面部の両端部が同方向にほぼ直角に折り曲げられ、先端部に前記天井バーの上部フランジに当接する水平部及び前記天井バーの上部フランジの外側に配設される係止片を有する立上り片、前記平面部に立上り片に近接して設けられた開口部、該開口部の近傍に設けられた押え片、及び前記平面部の中央部側に設けられたねじ穴からなる取付金具と、両端部に前記天井バーの下部フランジに当接するフランジを有し、中央部側に前記取付金具のねじ穴に対応し開口部が設けられ、ランプ、安定器、反射板等が収容されて上面に前記取付金具が固定された断面ほぼ鍋形状の器具本体と、弾性材からなり、平面部、該平面部の両端部を同方向にほぼ直角に折り曲げて先端部に前記天井バーの上部フランジに係止する引掛片が形成された垂下片を有するほぼコ字状の係止金具とからなり、該係止金具の平面部を前記取付金具の押え片に挿入すると共に、前記垂下片を前記取付金具の平面部に立ち上がり片に近接して設けられた開口部にそれぞれ挿入して該取付金具上に配設し、前記係止金具の平面部のほぼ中央部に前記取付金具のねじ穴に螺入された解除ネジを当接させ、前記係止金具を天井面に取り付ける際には、平面部のほぼ中央部を解除ネジをゆるめ、両端をそれぞれ押え片で支持して、該係止金具の上下方向への移動を阻止した状態で、係止金具のそれぞれの垂下片及び引掛片が器具本体の両側面部方向にたわむようにして引掛片を天井バーの上部フランジに係止させ、前記係止金具を天井面から取り外す際には、それぞれの押え片を支点として平面部のほぼ中央部の解除ネジを締めて該平面部の中央部付近を下面から突き上げてたわませ、前記係止金具の垂下片及び引掛片を取付金具の立上り片より離して引掛片を天井バーの上部フランジから外れるようにしたものである。
【００１１】
さらに本発明にかかる照明器具は、ウェブの両端部に上部フランジと下部フランジが設けられ、前記下部フランジが天井に固定された断面Ｉ字状の一対の天井バーと、平面部、該平面部の両端部が同方向にほぼ直角に折り曲げられ、先端部に前記天井バーの上部フランジに当接する水平部及び前記天井バーの上部フランジの外側に配設される係止片を有する立上り片、前記平面部に立上り片に近接して設けられた開口部、該開口部の近傍に設けられた押え片、及び前記平面部の中央部側に設けられた２つの長穴からなる取付金具と、
両端部に前記天井バーの下部フランジに当接するフランジを有し、中央部側に前記取付金具の長穴に対応した長穴が設けられ、ランプ、安定器、反射板等が収容されて上面に前記取付金具が固定された断面ほぼ鍋形状の器具本体と、平面部、該平面部の一端をほぼ直角に折り曲げて先端部に前記天井バーの上部フランジに係止する引掛片が形成された垂下片を有し、前記平面部の他端に前記垂下片と同方向に折り曲げられた操作片が設けられた一対の係止金具とからなり、該係止金具の平面部をそれぞれ前記取付金具の押え片に挿入すると共に、前記垂下片を前記取付金具の平面部に立ち上がり片に近接して設けられた開口部に挿入し、また前記操作片を取付金具及び器具本体の長穴に挿入して該取付金具上に摺動可能に配設し、前記両係止金具の操作片間にばねを介装し、前記係止金具を天井面に取り付ける際には、平面部の両端をそれぞれ押え片で支持し、係止金具の操作片をばねの弾性力によって外方に押圧して、該係止金具の上下方向への移動を阻止した状態で、係止金具のそれぞれの垂下片及び引掛片が器具本体の両側面部方向にたわむようにして引掛片を天井バーの上部フランジに係止させ、前記係止金具を天井面から取り外す際には、それぞれの押え片を支点として係止金具の操作片を内方に押圧してばねを圧縮させ、係止金具の垂下片及び引掛片を取付金具の立上り片より離して引掛片を天井バーの上部フランジから外れるようにしたものである。
【００１２】
さらにまた本発明にかかる照明器具は、ウェブの両端部に上部フランジと下部フランジが設けられ、前記下部フランジが天井に固定された断面Ｉ字状の一対の天井バーと、平面部、該平面部の両端部が同方向にほぼ直角に折り曲げられ、先端部に前記天井バーの上部フランジに当接する水平部及び前記天井バーの上部フランジの外側に配設される係止片を有する立上り片、前記平面部に立上り片に近接して設けられた開口部、該開口部の近傍に設けられた押え片、及び前記平面部の中央部側に設けられた長穴からなる取付金具と、両端部に前記天井バーの下部フランジに当接するフランジを有し、中央部側に前記取付金具の長穴に対応した長穴が設けられ、ランプ、安定器、反射板等が収容されて上面に前記取付金具が固定された断面ほぼ鍋形状の器具本体と、弾性材からなり、平面部、該平面部の両端部を同方向にほぼ直角に折り曲げて先端部に前記天井バーの上部フランジに係止する引掛片を形成された垂下片を設けると共に、ほぼ中央部を折曲げて形成した操作部により弾性が付与された係止金具からなり、該係止金具の平面部を前記取付金具の押え片にそれぞれ挿入すると共に、前記垂下片を前記取付金具の平面部に立ち上がり片に近接して設けられた開口部にそれぞれ挿入し、また操作部を取付金具及び器具本体の長穴に挿入して該取付金具上に摺動可能に配設し、前記係止金具を天井面に取り付ける際には、平面部の両端をそれぞれ押え片で支持し、係止金具の操作部を操作部の弾性力によって外方に押圧して、該係止金具の上下方向への移動を阻止した状態で、係止金具のそれぞれの垂下片及び引掛片が器具本体の両側面部方向にたわむようにして引掛片を天井バーの上部フランジに係止させ、前記係止金具を天井面から取り外す際には、それぞれの押え片を支点として係止金具の操作部を内方に押圧してたわませ、前記係止金具の垂下片及び引掛片を取付金具の立上り片より離して引掛片を天井バーの上部フランジから外れるようにしたものである。
【００１３】
【作用】
照明器具を取付けるには、これを天井内に押し込んで自然に落し込むと、係止金具の引掛け片が天井バーの係止部に係合する。また、照明器具を取り外すには、取付金具の下方から解除ネジを操作して、係止金具を天井バーの係止部から解除する。
【００１４】
また照明器具を取り外すには、解除ネジの先端で係止金具の中央部を下面から突き上げ係止金具をたわませて、係止金具を天井バーの係止部から解除する。
【００１５】
さらに照明器具を取り外すには、係止金具の操作片を内方に押圧してばねを圧縮させ、係止金具を天井バーの係止部から解除する。
【００１６】
さらにまた照明器具を取り外すには、係止金具の操作部を内方に押圧してたわませ、係止金具を天井バーの係止部から解除する。
【００１７】
【実施例】
実施例１
図１は本発明の第１の実施例の要部を示す縦断面図、図２は図１の作用説明図、図３、図４はそれぞれ図１の要部を示す斜視図である。２６は天井に架設された一対の天井バーで、断面Ｉ状をなし、天井から平行に吊り下げ固定する。２７は天井バー２６のウェブ２８の上部に形成された上部フランジ、２９は上部フランジ２７の左右下面部に形成された係止部、３０はウェブ２８の下部に形成された下部フランジである。
３１は照明器具、３２は断面が鍋形状で樋状をした照明器具本体（器具本体）
、３３，３４は器具本体３２を構成する側面反射部及び上面反射部である。
３５は側面反射部３３の下端部に形成されたフランジ部で、天井バー２６の下部フランジ３０に当接される。
【００１８】
器具本体３２の内部には、ランプ３６、安定器３７、断面Ｖ字型の反射板３８、その他照明器具に必要なソケット、電線等の各種部品類（図示せず）が取付けられている。なお、３９は反射板３８の両側端に設けられたフランジ部、４０は器具本体３２の上面反射部３４に取付けられた断面Ｌ字型の反射板押え片で、反射板３８のフランジ部３９を取り外し自在に支持する。
４１は器具本体３２の上面反射部３４に設けた長孔で、解除ネジ（後述する）の頭部が貫通する。
【００１９】
４２は照明器具３１を取付けるコ字型の取付金具で、両端部には平面部４３及び段差部を有し（後述する）、平面部４３は器具本体３２の上面外面部４４にネジ等の取付け具（図示せず）で固定されている。
４５は取付金具４２の両端部に平面部４３と直交して折曲げられた立上片、４６は立上片４５と直交（平面部４２と平行）して形成され天井バー２６の上部フランジ２７に当接される水平段差部、４７は水平段差部４６の端部から直交（立上片４５と平行）して下方向に折曲げられた係止片である。そして、立上片４５は天井バー２６のウェブ２８を上方向に垂直に立ち上げた状態で、また水平段差部４６は天井バー２６の上部フランジ２７に当接した状態で、さらに係止片４７は天井バー２６の上部フランジ２７の外側面４８に垂下した状態で、天井バー２６に当接される。
４９は係止金具（後述）を挿入するために取付金具４２の平面部４３の両端部に設けた開口部、５０は係止金具が上方向に浮き上がるのを防止するため開口部４９の両側に設けられた押え片である。なお、５１は解除ネジ（後述）を挿通させるために取付金具４２のほぼ中央部に設けた長孔で、器具本体３２に設けた長孔４１よりひとまわり小さい。
【００２０】
５２は照明器具３１、すなわち取付金具４２を天井バー２６に取付けるための係止金具で、断面Ｌ字型状をなす弾性材料によって形成され、取付金具４２の左右両側に別個に取り付けられる。５３は取付金具５２の平面部、５４は平面部５３の一端に平面部５３と直交して折曲げられた垂下片、５５は垂下片５４の先端部にＶ字状に折曲げて形成された引掛片である。そして、係止金具５２の平面部５３は取付金具４２の平面部４３上面に当接され、垂下片５４は取付金具４２の開口部４９を貫通して下方に垂下し、垂下片５４の先端部に設けられた引掛片５５は天井バー２６の係止部２９と係止する。
５６は器具本体３２に設けた長穴４１及び取付金具４２に設けた長孔５１に挿通して、係止金具５２の他端に設けたネジ穴５７に螺着した解除ネジで、取付金具４２と係止金具５２とを連結する。
【００２１】
次に、上記のように構成した第１の実施例の作用を説明する。なお、以下の説明では、照明器具３１の装着、脱着は図に示された部分のみ説明するが、図に記載のない部分についても同様である。まず、照明器具３１を天井面に取付ける操作は以下の通りである。反射板３８を装着してある器具本体３２を一対の天井バー２６の間から傾けた状態で押し上げ、これを天井内で水平にして引き下げる。こうすると、器具本体３２の両側面部３３の下端部に設けたフランジ３５が天井バー２６の下部フランジ３０に当接する。
また、取付金具４２の下端水平部４６は天井バー２６の上部フランジ２７に当接し、係止片４７は上部フランジ２７の外側面４８に垂下する。従って、器具本体３２の左右への移動が防止される。
【００２２】
また、上述のようにして取付金具４２の下端水平部４６が天井バー２６の頭部フランジ２７に当接されるときは、天井バー２６の係止部２９に係止金具５２の端部に設けた引掛片５５が係止する。
すなわち、取付金具４２を引き下げると、係止金具５２の平面部５３の一端は解除ネジ５６によって固定され、他端は押え片５０によって上方への移動が阻止されているので、係止金具５２の垂下片５４及び引掛片５５が器具本体３２の両側面部３３方向にたわみ、引掛片５５はこの状態のまま下降する。こうして、取付金具４２の下端水平部４６が天井バー２６の頭部フランジ２７に当接すると、係止金具５２の引掛片５５は天井バー２６の係止部２９に係止する。従って、器具本体３２の上方への浮き上がりが防止される。
【００２３】
次に、照明器具３１を天井面から取り外す操作は以下の通りである。まず、器具本体３２に取付けられた反射板３８を取り除く。反射板３８はそのフランジ部３９が器具本体３２の反射板押さえ片４０に係合しているので、フランジ部３９と反射板押え片４０との係合を解除すればよい。
ついで、係止金具５２の一端部に螺着している解除ネジ５６を、下方から押し上げるように回転させながらゆるめていく。こうすると、係止金具５２の他端部が押さえ片５０によって上方に浮き上がるのを防止されているため、図２に示すように、係止金具５２は傾斜して引掛片５５が天井バー２６の係止部２９から外れる。
こうして、解除ネジ５６を取付金具４２の長穴５１の端まで移動させると、係止金具５２の垂下片５４と引掛片５５は図２の破線で示す位置まで移動し、天井バー２６の係止部２９から完全に外れる。
この状態で、器具本体３２を天井内に押し込みながら傾斜させて引き下げれば、器具本体３２を天井面から取り外すことができる。
【００２４】
実施例２
図５は本発明の第２の実施例の要部を示す縦断面図、図６は図５の作用説明図、図７は図５の要部を示す斜視図である。５２は取付け金具４２を天井バー２６に取付けるための係止金具で、第１の実施例（図１〜図４）で示した左右別個の係止金具を一体構造にしたものであり、断面ほぼコ字型に形成されている。
第２の実施例では、１個の係止金具５２の平面部５３を取付金具４２の平面部４３上面に載置し、係止金具５２の垂下片５４，５４を取付金具５２の開口部４９，４９から下方に貫通させ、引掛片５５，５５を天井バー２６，２６の頭部フランジ２７，２７に設けられた係止部２９，２９に係止する。
５６は取付金具４２の中央部に螺着された解除ネジで、その先端部は係止金具５２の平面部５３の下面に当接する。
【００２５】
次に、上記のように構成した第２の実施例の作用を説明する。照明器具３１を天井バー２６，２６に当接する動作は、第１の実施例に示した場合と同様である。
照明器具３１を天井面から取り外す操作は以下の通りである。まず、器具本体３２に取付けられた反射板３８を取り除く。次に、係止金具５２の係止を解除するには、取付金具４２の中央部に螺着された解除ネジ５６を下方から押し上げるようにして回転させ、締め付けていく。このとき係止金具５２の両端部は、取付金具４２の両端部に設けられた押え片５０，５０によって上方への浮き上がりを防止されている。このため、図６に示すように、係止金具５２の中央部だけが浮き上がり、引掛片５５，５５は天井バー２６，２６の係止部２９，２９から外れる。
この状態で、器具本体３２を天井内に押し込みながら傾斜させて引き下げれば、器具本体３２を天井面から取り外すことができる。
【００２６】
実施例３
図８は本発明の第３の実施例の要部を示す縦断面図、図９は図８の作用説明図である。５２，５２は取付金具４２を天井バー２６に取付けるための係止金具で、第１の実施例（図１〜図４）で示した左右の別個の係止金具をバネを介して一対に構成したものである。５８は引掛片５５と反対側の取付金具４２の端部に設けられた操作片で、垂下片５４と平行で同方向に垂下する。５９はバネ係止片で、操作片５８の中央部で各操作片５６，５６が向い合う方向に操作片５６と直交して設けられている。６０は操作片５８，５８の間に介装されたコイルバネで、バネ係止片５９，５９に装着されている。
なお、６１，６１は取付金具４２の中央部に設けられた長方形の孔部、６２は器具本体３２の上面部３４に設けられた長方形の孔部である。
【００２７】
第３の実施例では、一対の係止金具５２，５２を取付金具４２の平面部４３上面に当接し、取付金具４２の両端部に設けられた開口部４９，４９から、垂下片５４，５４を下方に垂下させ、引掛片５５，５５を天井バー２６，２６の上部フランジ２７，２７の係止部２９，２９に係止する。また、操作片５８，５８を取付金具４２の孔部６１と器具本体３２の孔部６２に挿通する。こうして、一対の係止金具５２，５２は押え片５０，５０によって浮き上がりを防止された状態で、コイルバネ６０の弾性によって天井バー２６，２６方向に付勢される。
【００２８】
次に、上記のように構成した第３の実施例の作用を説明する。照明器具３１を天井バー２６，２６に当接する動作は、第１の実施例に示した場合とほぼ同様である。ただし、取付金具４２の下端水平部４６，４６が天井バー２６，２６の上部フランジ２７，２７に当接するとき、係止金具５２，５２は取付金具４２の押え片５０，５０によって上方向への移動を抑制されているので、引掛片５５，５５が天井バー２６，２６の上部フランジ２７，２７の内側面によりコイルバネ６０の方向に移動し、このためコイルバネ６０が圧縮される。次いで、取付金具４２の下端水平部４６，４６が天井バー２６，２６の上部フランジ２７，２７に載置されると同時に、係止金具５２の引掛片５５，５５はコイルバネ６０によってコイルバネ６０と反対の方向に付勢されて、天井バー２６，２６の係止部２９，２９に引掛かる。こうして器具本体３２が上方に浮き上がるのを防止する。
【００２９】
次に係止金具５２を取り外すには、一対の係止金具５２の操作片５８，５８を指でつまんで押圧する。こうすると、操作片５８，５８間に設けられたコイルバネ６０が圧縮されて、図９に示すように、一対の係止金具５２は器具本体３２の中央部方向に移動し、引掛片５５，５５が天井バー２６，２６の係止部２９，２９から外れる。このとき、係止金具５２は押え片５０，５０によって上方向への浮き上がりを抑制されている。こうして、器具本体３２を天井バー２６，２６から取り外すことができる。
【００３０】
実施例４
図１０は本発明の第４の実施例の要部を示す縦断面図、図１１は図１０の作用説明図である。５２は取付金具４２を天井バー２６，２６に取付けるための係止金具で、第１の実施例（図１〜図４）で示した左右の別個の係止金具を弾性体材料を使用して一体に構成する。６３は係止金具５２の中央部に設けられたＶ字型の操作部で、内方に押圧すると係止金具５２がたわむ。
【００３１】
第４の実施例では、一体に構成された係止金具５２の平面部５３を取付金具４２の平面部４３の上面に載置し、Ｖ字型の操作部６３を取付金具４２の孔部６１と器具本体３２の孔部６２に挿通し、垂下片５４，５４を取付金具４２の開口部４９，４９から垂下させ、引掛片５５，５５を天井バー２６，２６の係止部２９，２９に係止する。こうして係止金具５２は、押え片５０，５０によって浮き上がりを防止された状態のまま、操作部６３の弾性によって天井バー２６，２６方向に付勢される。
【００３２】
次に、上記のように構成した第４の実施例の作用を説明する。照明器具３１を天井バー２６，２６に載置する動作は、第３の実施例に示した場合とほぼ同様である。ただし、係止金具５２に設けられたコイルバネ（図８、図９）が圧縮されるのではなくて、Ｖ字型の操作部６３が圧縮される。
【００３３】
係止金具５２を取り外すには、まず係止金具５２の操作部６３をを指でつまんで押圧する。こうすると、図１１に示すように係止金具５２の両端部は各々器具本体３２の中央部方向に移動し、引掛片５５，５５が天井バー２６，２６の係止部２９，２９から外れる。このとき、係止金具５２は取付金具４２の押え片５０，５０によって上方向への浮き上がりを抑制される。こうして、器具本体３２を天井バー２６，２６から取り外すことができる。
【００３４】
【発明の効果】
以上の説明から明らかなように、本発明の照明器具によれば、天井バーに照明器具を取付けるときは、組み立てを完成した状態の照明器具をそのまま天井内に押し込みこれを自然に落とし込むだけで係止金具の引掛片が天井バーの係止部に係合するので、照明器具の天井作業が極めて容易になる。
また、照明器具の係止金具を解除するときは、照明器具内部の反射板を取り出し、器具本体上面の解除ネジをゆるめる（実施例１）、解除ネジを締め付ける（実施例２）、係止金具の操作片を指でつまんで押圧する（実施例３）、係止金具の操作部を指でつまんで押圧する（実施例４）だけで係止金具の引掛片が天井バーの係止部から解除されるので、照明器具の取り外し作業も極めて容易である。
【図面の簡単な説明】
【図１】本発明の第１の実施例の要部を示す縦断面図である。
【図２】図１の作用説明図である。
【図３】図１の要部を示す斜視図である。
【図４】図１の要部を示す斜視図である。
【図５】本発明の第２の実施例の要部を示す縦断面図である。
【図６】図５の作用説明図である。
【図７】図５の要部を示す斜視図である。
【図８】本発明の第３の実施例の要部を示す縦断面図である。
【図９】図８の作用説明図である。
【図１０】本発明の第４の実施例の要部を示す縦断面図である。
【図１１】図１０の作用説明図である。
【図１２】従来の照明器具の一例を示す縦断面図である。
【図１３】図１２の要部を示す斜視図である。
【符号の説明】
２６  天井バー
２７  上部フランジ
２８  ウェブ
３０  下部フランジ
３２  器具本体
３５  フランジ部
３６  ランプ
３８  反射板
４１，５１  長穴
４２  取付金具
４３  平面部
４５  立上片
４６  水平段差部
４７  係止片
４９  開口部
５０  押え片
５２  係止金具
５３  平面部
５４  垂下片
５５  引掛片
５６  解除ネジ
５８  操作片
６０  コイルバネ
６１，６２  長方形の孔部
６３  操作部
【図１】
0003700090.tif 000002
【図２】
0003700090.tif 000003
【図３】
0003700090.tif 000004
【図４】
0003700090.tif 000005
【図５】
0003700090.tif 000006
【図６】
0003700090.tif 000007
【図７】
0003700090.tif 000008
【図８】
0003700090.tif 000009
【図９】
0003700090.tif 000010
【図１０】
0003700090.tif 000011
【図１１】
0003700090.tif 000012
【図１２】
0003700090.tif 000013
【図１３】
0003700090.tif 000014